(57)【要約】【課題】光源装置から発せられた光の輝度の変化を高精度に抑制することができる技術を提供する。【解決手段】本発明の光源装置は、光源と、前記光源から発せられた光の輝度を検出し、検出した輝度に応じた検出値を出力する第１検出手段と、前記第１検出手段の検出値が、前記第１検出手段から出力されることが想定される検出値の範囲である想定範囲の外側の値である場合に、前記第１検出手段の検出感度を変更する変更手段と、前記第１検出手段の検出値に基づいて、前記光源の発光輝度を制御する制御手段と、を有する。【選択図】図１
2016080753.tif 000002
【特許請求の範囲】
【請求項１】
光源と、
前記光源から発せられた光の輝度を検出し、検出した輝度に応じた検出値を出力する第１検出手段と、
前記第１検出手段の検出値が、前記第１検出手段から出力されることが想定される検出値の範囲である想定範囲の外側の値である場合に、前記第１検出手段の検出感度を変更する変更手段と、
前記第１検出手段の検出値に基づいて、前記光源の発光輝度を制御する制御手段と、
を有することを特徴とする光源装置。
【請求項２】
前記第１検出手段は、前記第１検出手段の検出感度が同じ場合に前記第１検出手段で検出された輝度が高いほど高く、且つ、前記第１検出手段で検出された輝度が同じ場合に前記第１検出手段の検出感度が高いほど高い検出値を出力し、
前記変更手段は、前記第１検出手段の検出値が前記想定範囲の上限値よりも高い場合に、前記第１検出手段の検出感度を下げる
ことを特徴とする請求項１に記載の光源装置。
【請求項３】
前記変更手段は、前記第１検出手段の検出値が前記想定範囲の上限値よりも高い場合に、前記第１検出手段の検出値として前記想定範囲の内側の値が得られるまで、前記第１検出手段の検出感度を徐々に下げる
ことを特徴とする請求項２に記載の光源装置。
【請求項４】
前記制御手段は、前記第１検出手段の検出値が前記想定範囲の上限値よりも高く、且つ、前記第１検出手段の検出感度が下限値である場合に、前記第１検出手段の検出値に基づく前記光源の発光輝度の制御を停止する
ことを特徴とする請求項２または３に記載の光源装置。
【請求項５】
前記第１検出手段は、前記第１検出手段の検出感度が同じ場合に前記第１検出手段で検出された輝度が高いほど高く、且つ、前記第１検出手段で検出された輝度が同じ場合に前記第１検出手段の検出感度が高いほど高い検出値を出力し、
前記制御手段は、前記第１検出手段の検出値が前記想定範囲の下限値よりも低い場合に、前記第１検出手段の検出値に基づく前記光源の発光輝度の制御を停止する
ことを特徴とする請求項２〜４のいずれか１項に記載の光源装置。
【請求項６】
外光の輝度を検出する第２検出手段、をさらに有し、
前記変更手段は、前記第１検出手段の検出値が前記想定範囲の外側の値である場合に、前記第２検出手段の検出値に応じた値に、前記第１検出手段の検出感度を変更する
ことを特徴とする請求項１に記載の光源装置。
【請求項７】
前記第１検出手段は、前記第１検出手段の検出感度が同じ場合に前記第１検出手段で検出された輝度が高いほど高く、且つ、前記第１検出手段で検出された輝度が同じ場合に前記第１検出手段の検出感度が高いほど高い検出値を出力し、
前記変更手段は、前記第２検出手段で検出された輝度が高い場合に、前記第２検出手段で検出された輝度が低い場合に比べて低い値に、前記第１検出手段の検出感度を変更することを特徴とする請求項６に記載の光源装置。
【請求項８】
前記制御手段は、前記第１検出手段の検出感度が変更された後の前記第１検出手段の検出値が前記想定範囲の外側の値である場合に、前記第１検出手段の検出値に基づく前記光源の発光輝度の制御を停止する
ことを特徴とする請求項６または７に記載の光源装置。
【請求項９】
前記第２検出手段の検出値と、前記第２検出手段の検出値に応じた前記第１検出手段の検出感度と、に基づいて、前記想定範囲を補正する第１補正手段、をさらに有し、
前記変更手段は、前記第１検出手段の検出値が補正前の想定範囲の外側の値である場合に、前記第１検出手段の検出感度を変更し、
前記制御手段は、前記第１検出手段の検出感度が変更された後の前記第１検出手段の検出値が補正後の想定範囲の外側の値である場合に、前記第１検出手段の検出値に基づく前記光源の発光輝度の制御を停止する
ことを特徴とする請求項８に記載の光源装置。
【請求項１０】
前記制御手段は、前記第１検出手段の検出値と、前記第１検出手段の検出値の目標値と、に基づいて、前記光源の発光輝度を制御し、
前記光源装置は、前記第１検出手段の検出感度が変更された場合に、変更後の検出感度に応じて前記目標値を補正する第２補正手段、をさらに有する
ことを特徴とする請求項１〜９のいずれか１項に記載の光源装置。
【請求項１１】
前記制御手段は、前記光源の点灯期間に得られた前記第１検出手段の検出値から前記光源の消灯期間に得られた前記第１検出手段の検出値を減算した値が前記目標値に近づくように、前記光源の発光輝度を制御する
ことを特徴とする請求項１０に記載の光源装置。
【請求項１２】
請求項１〜１１のいずれか１項に記載の光源装置と、
前記光源装置から発せられた光を変調することで画面に画像を表示する表示部と、
を有することを特徴とする画像表示装置。
【請求項１３】
光源と、
前記光源から発せられた光の輝度を検出し、検出した輝度に応じた検出値を出力する第１検出手段と、
を有する光源装置の制御方法であって、
前記第１検出手段の検出値が、前記第１検出手段から出力されることが想定される検出値の範囲である想定範囲の外側の値である場合に、前記第１検出手段の検出感度を変更する変更ステップと、
前記第１検出手段の検出値に基づいて、前記光源の発光輝度を制御する制御ステップと、
を有することを特徴とする光源装置の制御方法。
【請求項１４】
請求項１３に記載の光源装置の制御方法の各ステップをコンピュータに実行させることを特徴とするプログラム。
【発明の詳細な説明】
【技術分野】
【０００１】
本発明は、光源装置、画像表示装置、光源装置の制御方法、及び、プログラムに関する。
【背景技術】
【０００２】
発光ダイオード（Ｌｉｇｈｔ  Ｅｍｉｔｔｉｎｇ  Ｄｉｏｄｅ；ＬＥＤ）には、冷陰極管（Ｃｏｌｄ  Ｃａｔｈｏｄｅ  Ｆｌｕｏｒｅｓｃｅｎｔ  Ｌａｍｐ、；ＣＣＦＬ）に比べて優れた点がある。例えば、ＬＥＤの消費電力は、ＣＣＦＬの消費電力に比べて低い。そのため、近年では、液晶モニターのバックライト装置（光源装置）の光源として、ＬＥＤがよく利用されている。
【０００３】
しかしながら、ＬＥＤには、発光特性の個体差が大きい、発光特性の経年変化が大きい、発光特性の温度変化が大きい、等の欠点がある。そのため、バックライト装置の光源としてＬＥＤを使用した場合、バックライト装置の発光輝度を一定に保つことは困難である。
【０００４】
そこで、光の輝度を検出する光センサをバックライト装置の近傍に設け、光センサの検出値が目標値に近づくように光源の発光輝度を制御する技術が提案されている（特許文献１）。光源の発光輝度は、例えば、光源に供給する電流の値を制御することによって制御することができる。
【０００５】
しかしながら、明るい環境（屋外、室内の窓際、等）で液晶モニターを使用した場合、外光（液晶パネルを透過して液晶モニター内に入射した光）が光センサに照射され、光センサの検出値として異常値（飽和値）が得られてしまうことがある。飽和値は、光センサが出力可能な検出値の範囲（検出可能範囲）の上限値に制限された値である。光センサは、検出可能範囲の上限値に対応する輝度よりも高い輝度を検出した場合に、検出値として、飽和値を出力する。
また、光センサに関連するハードウェアの故障（短絡、断線、等）が生じた場合にも、光センサの検出値として異常値が得られてしまうことがある。具体的には、光センサに関連するハードウェアの故障が生じた場合には、光センサの検出値として、光センサに関連するハードウェアの故障が生じていない場合に比べて高い値や低い値が得られてしまうことがある。
そして、このような異常値が得られた場合には、特許文献１に開示の技術を用いても、バックライト装置の発光輝度を一定に保つことはできない。
【０００６】
そこで、センサの検出値が異常値であるか否かを判定し、センサの検出値が異常値である場合に、装置の使用時間に応じて検出値を補正する技術が提案されている（特許文献２）。
【０００７】
特許文献２に開示の技術を用いれば、光センサの検出値が異常値である場合に、液晶モニターの使用時間に応じて光センサの検出値を補正することができる。しかしながら、ＬＥＤの発光特性には個体差があり、ＬＥＤの発光特性は温度に依存して変化する。そのため、液晶モニターの使用時間に応じた補正を行っても、バックライト装置から発せられた光の輝度と大きく異なる輝度を表す値（異常値）が補正後の検出値として得られてしまい、バックライト装置の発光輝度を一定に保つことができないことがある。
【先行技術文献】
【特許文献】
【０００８】
【特許文献１】特開２００８−１２３８１８号公報
【特許文献２】特開２０００−２９５０１号公報
【発明の概要】
【発明が解決しようとする課題】
【０００９】
本発明は、光源装置から発せられた光の輝度の変化を高精度に抑制することができる技術を提供することを目的とする。
【課題を解決するための手段】
【００１０】
本発明の第１の態様は、
光源と、
前記光源から発せられた光の輝度を検出し、検出した輝度に応じた検出値を出力する第１検出手段と、
前記第１検出手段の検出値が、前記第１検出手段から出力されることが想定される検出値の範囲である想定範囲の外側の値である場合に、前記第１検出手段の検出感度を変更する変更手段と、
前記第１検出手段の検出値に基づいて、前記光源の発光輝度を制御する制御手段と、
を有することを特徴とする光源装置である。
【００１１】
本発明の第２の態様は、
前記光源装置と、
前記光源装置から発せられた光を変調することで画面に画像を表示する表示部と、
を有することを特徴とする画像表示装置である。
【００１２】
本発明の第３の態様は、
光源と、
前記光源から発せられた光の輝度を検出し、検出した輝度に応じた検出値を出力する第１検出手段と、
を有する光源装置の制御方法であって、
前記第１検出手段の検出値が、前記第１検出手段から出力されることが想定される検出値の範囲である想定範囲の外側の値である場合に、前記第１検出手段の検出感度を変更する変更ステップと、
前記第１検出手段の検出値に基づいて、前記光源の発光輝度を制御する制御ステップと、
を有することを特徴とする光源装置の制御方法である。
【００１３】
本発明の第４の態様は、前記光源装置の制御方法の各ステップをコンピュータに実行させることを特徴とするプログラムである。
【発明の効果】
【００１４】
本発明によれば、光源装置から発せられた光の輝度の変化を高精度に抑制することができる。
【図面の簡単な説明】
【００１５】
【図１】実施例１に係る光源装置の構成の一例を示すブロック図
【図２】実施例１に係るＬＥＤと光センサの配置の一例を示す模式図
【図３】実施例１に係る発光制御処理の一例を示す図
【図４】実施例１に係るバックライト光センサ値の取得方法の一例を示す図
【図５】実施例１に係る発光輝度補正処理の流れの一例を示すフローチャート
【図６】実施例１に係る異常要因判定処理の流れの一例を示すフローチャート
【図７】実施例１に係る目標センサ値の一例を示す図
【図８】実施例１に係る検出感度とゲイン値の対応関係の一例を示す図
【図９】実施例１に係るゲイン値と目標センサ値との対応関係の一例を示す図
【図１０】実施例１に係る点灯時光センサ値の一例を示す図
【図１１】実施例１に係る点灯時光センサ値の一例を示す図
【図１２】実施例２に係る光源装置の構成の一例を示すブロック図
【図１３】実施例２に係る液晶表示装置の外観の一例を示す図
【図１４】実施例２に係る異常要因判定処理の流れの一例を示すフローチャート
【図１５】実施例２に係る外光センサ値とゲイン値の対応関係の一例を示す図
【図１６】実施例２に係る外光センサ値と想定範囲の対応関係の一例を示す図
【発明を実施するための形態】
【００１６】
＜実施例１＞
以下、本発明の実施例１に係る画像表示装置、光源装置、及び、それらの制御方法について説明する。
なお、本実施例では、画像表示装置で使用される光源装置（バックライト装置）に本発明を適用した場合の例を説明するが、本発明は、画像表示装置で使用される光源装置以外の光源装置にも適用可能である。例えば、街灯、室内照明、顕微鏡照明などの照明装置にも本発明を適用することができる。
また、本実施例では、透過型の液晶表示装置に本発明を適用した場合の例を説明するが、本発明は、透過型の液晶表示装置以外の画像表示装置にも適用可能である。光源装置からの光を変調することで画面に画像を表示する表示部を有する画像表示装置であれば、どのような画像表示装置にも本発明を適用することができる。例えば、反射型の液晶表示装置、液晶素子の代わりにＭＥＭＳ（Ｍｉｃｒｏ  Ｅｌｅｃｔｒｏ  Ｍｅｃｈａｎｉｃａｌ
Ｓｙｓｔｅｍ）シャッターを用いたＭＥＭＳシャッター方式ディスプレイ、等にも、本発明を適用することができる。
【００１７】
図１は、本実施例に係る光源装置１００の構成の一例を示すブロック図である。
図１に示すように、光源装置１００は、バックライトユニット１１０と制御ユニット１２０を有する。バックライトユニット１１０は、複数の光源ユニット１１３と光センサ１１２を有する。各光源ユニット１１３は、複数のＬＥＤ（Ｌｉｇｈｔ  Ｅｍｉｔｔｉｎｇ
Ｄｉｏｄｅ）１１１を有する。制御ユニット１２０は、バックライト制御部１２１、バックライト駆動部１２２、光センサ値取得部１２３、記憶部１２４、異常要因判定部１２５、及び、光センサ制御部１２６を有する。
なお、発光素子はＬＥＤに限らない。例えば、発光素子として、有機ＥＬ素子、プラズマ素子、冷陰極管、等が使用されてもよい。
【００１８】
光源装置１００は、各光源ユニット１１３の発光輝度を個別に制御することができる。
複数の光源ユニット１１３は、それぞれ、複数の光センサ１１２に対応付けられている。以後、光源ユニット１１３に対応する光センサ１１２を“対応光センサ”と記載し、光センサ１１２に対応する光源ユニット１１３を“対応光源ユニット”と記載する。
各光センサ１１２は、対応光源ユニット１１３から発せられた光の輝度を検出し、検出した輝度に応じた光センサ値（検出値）を出力する（第１検出処理）。光センサ１１２は、光センサ値として、検出した輝度に応じた電圧（出力電圧）を出力する。
【００１９】
光センサ値取得部１２３は、各光センサ１１２から光センサ値を取得し、各光センサ１１２の光センサ値をバックライト制御部１２１に出力する。
【００２０】
記憶部１２４は、光センサ１１２毎に、その光センサ１１２の光センサ値の目標値（目
標センサ値）を記憶する。また、記憶部１２４は、光センサから出力されることが想定される光センサ値の範囲である想定範囲を記憶する。本実施例では、想定範囲がメーカー等によって予め定められているものとする。想定範囲は、例えば、光センサが出力可能な検出値の範囲（検出可能範囲）に基づいて予め決定することができる。
なお、記憶部１２４は、複数の光センサ１１２にそれぞれ対応する複数の想定範囲を記憶してもよいし、複数の光センサ１１２の間で共通の１つの想定範囲を記憶してもよい。
【００２１】
バックライト制御部１２１とバックライト駆動部１２２により、光源ユニット１１３毎に、対応光センサ１１２の光センサ値に基づいて、その光源ユニット１１３の発光輝度が制御される。本実施例では、光源ユニット１１３毎に、対応光センサ１１２の光センサ値と、対応光センサ１１２の目標センサ値と、に基づいて、その光源ユニット１１３の発光輝度が制御される。
本実施例では、図３に示すように、光源ユニット１１３を点灯させる発光制御処理が周期的に行われる。光源ユニット１１３の発光輝度は、光源ユニット１１３の点灯期間に光源ユニット１１３に供給する電流の値（駆動電流値）を制御することにより、制御することができる。
バックライト制御部１２１は、光源ユニット１１３毎に、対応光センサ１１２の光センサ値に基づいて、その光源ユニット１１３の駆動電流値を決定する。そして、バックライト制御部１２１は、各光源ユニット１１３の駆動電流値を、バックライト駆動部１２２に通知する。
バックライト駆動部１２２は、各光源ユニット１１３を、バックライト駆動部１２２から通知された駆動電流値で駆動する。
【００２２】
なお、本実施例では、光センサ１１２の検出値に対する、当該光センサ１１２に対応しない光源ユニット１１３（非対応光源ユニット）からの光の影響度合いが０または非常に小さいものとするが、これに限らない。例えば、上記影響度合いが無視できない程度に大きくてもよい。その場合には、上記影響度合い（非対応光源ユニット１１３から光センサ１１２への光の漏れ）を考慮して、対応光源ユニット１１３の発光輝度が制御されることが好ましい。光の漏れを考慮した発光輝度の制御方法は、特に限定されない。
なお、発光輝度の制御方法は上記方法に限らない。光源ユニット１１３の発光輝度は、発光制御処理の１周期のデューティ比（駆動デューティ比）を制御することによっても、制御することができる。そのため、駆動デューティ比を制御することにより、発光輝度が制御されてもよい。駆動デューティ比は、発光制御処理の１周期に対する、発光制御処理の１周期における光源ユニット１１３の総点灯時間の割合である。光源ユニット１１３の発光輝度は、光源ユニット１１３に印加する電圧（駆動電圧）を制御することによっても、制御することができる。そのため、駆動電圧を制御することにより、発光輝度が制御されてもよい。
【００２３】
バックライト制御部１２１は、光センサ１１２毎に、その光センサ１１２の光センサ値が異常値であるか否かを判定する。具体的には、バックライト制御部１２１は、光センサ１１２毎に、その光センサ１１２の光センサ値が想定範囲の外側の値であるか否かを判定する。光センサ値が想定範囲の外側の値である場合には、“光センサ値が異常値である”と判定され、光センサ値が想定範囲の外側の値でない場合には、“光センサ値が異常値でない（光センサ値が正常値である）”と判定される。
【００２４】
異常要因判定部１２５は、“光センサ値が異常値である”と判定された光センサ１１２について、光センサ値が異常値であることの要因（異常要因）を判定する。
光センサ１１２には、対応光源ユニット１１３から発せられた光だけでなく、光源装置１００の外光が照射されることがある。本実施例では、液晶パネルを透過して液晶表示装置内に入射した光が光センサ１１２に照射されることがある。そのため、明るい環境（屋
外、室内の窓際、等）で液晶表示装置を使用した場合、光センサ値として異常値（飽和値）が得られてしまうことがある。飽和値は、検出可能範囲の上限値に制限された値である。光センサ１１２は、検出可能範囲の上限値に対応する輝度よりも高い輝度を検出した場合に、光センサ値として、飽和値を出力する。
また、光センサ１１２に関連するハードウェアの故障（短絡、断線、等）が生じた場合にも、光センサ値として異常値が得られてしまうことがある。具体的には、光センサ１１２に関連するハードウェアの故障が生じた場合には、光センサ値として、光センサ１１２に関連するハードウェアの故障が生じていない場合に比べて高い値や低い値が得られてしまうことがある。
異常要因判定部１２５は、“光センサ値が異常値である”と判定された光センサ１１２について、異常要因が外光にあるかハードウェアの故障にあるかを判定する。
【００２５】
バックライト制御部１２１と光センサ制御部１２６により、“光センサ値が異常値である”と判定された光センサ１１２の検出感度が変更される。
バックライト制御部１２１は、“光センサ値が異常値である”と判定された光センサ１１２の変更後の検出感度を決定し、決定した検出感度を光センサ制御部１２６に通知する。具体的には、バックライト制御部１２１は、“異常要因が外光にある”と判定された光センサ１１２の変更後の検出感度を決定し、決定した検出感度を光センサ制御部１２６に通知する。
光センサ制御部１２６は、“異常要因が外光にある”と判定された光センサ１１２の検出感度を、バックライト制御部１２１から通知された検出感度に変更する。
【００２６】
なお、“光センサ値が異常値でない”と判定された場合にも、外光を含む光の輝度を表す光センサ値が取得されることがある。そして、光源装置１００から発せられる光を一定に保つために、光源ユニット１１３から発せられた光の輝度をよく表す光センサ値を、目標センサ値に近づけることが好ましい。
そこで、本実施例では、図４に示すように、点灯期間に取得された光センサ値から、消灯期間に取得された光センサ値を減算することにより、外光の影響が除去（低減）された光センサ値（バックライト光センサ値）を取得する。そして、バックライト光センサ値が目標センサ値に近づくように、光源ユニット１１３の発光輝度を制御する。
なお、点灯期間に取得された光センサ値が目標センサ値に近づくように、光源ユニット１１３の発光輝度が制御されてもよい。
【００２７】
図２は、複数のＬＥＤ１１１と複数の光センサ１１２の配置の一例を示す模式図である。図２に示すように、本実施例では、バックライトユニット１１０は、２行３列の６つの光源ユニット１１３（光源ユニット０〜５）に分割されている。各光源ユニット１１３には、１６個のＬＥＤ１１１がアレイ状に配置されている。１つの光源ユニットに設けられた１６個のＬＥＤ１１１は、同一の駆動電流値及び駆動デューティ比で点灯（発光）する。各光源ユニット１１３には、１つの光センサ１１２が設けられている。具体的には、光源ユニット０の中心付近に光センサＡが設けられており、光源ユニット１の中心付近に光センサＢが設けられており、光源ユニット２の中心付近に光センサＣが設けられている。そして、光源ユニット３の中心付近に光センサＤが設けられており、光源ユニット４の中心付近に光センサＥが設けられており、光源ユニット５の中心付近に光センサＦが設けられている。
なお、光源ユニット１１３の数は６個より多くても少なくてもよい。光源ユニット１１３の数は１つであってもよい。また、１つの光源ユニット１１３に対して複数の光センサ１１２が設けられていてもよい。
【００２８】
図５を用いて、光源装置１００の発光輝度補正処理の流れについて説明する。図５は、光源装置１００の発光輝度補正処理の流れの一例を示すフローチャートである。発光輝度
補正処理は、光センサ値を取得し、取得した光センサ値に基づいて光源ユニット１１３の発光輝度を制御する処理である。発光輝度補正処理は、例えば、光源装置１００の電源が投入されたタイミングで開始される。
以下では、光センサ１１２が、光センサ１１２の検出感度が同じ場合に光センサ１１２で検出された輝度が高いほど高く、且つ、光センサ１１２で検出された輝度が同じ場合に光センサ１１２の検出感度が高いほど高い光センサ値を出力するものとする。また、以下では、光源ユニット１１３が、駆動電流値が高いほど高い発光輝度で発光するものとする。
なお、発光輝度補正処理の開始時に、各光センサ１１２の検出感度と目標センサ値として、メーカー等によって予め定められた初期値が設定されてもよいし、直前に設定された値が引き続き設定されてもよい。
【００２９】
まず、バックライト制御部１２１が、駆動電流値の初期値である初期電流値をバックライト駆動部１２２に通知する（Ｓ１５０）。それにより、各光源ユニット１１３が初期電流値で駆動される。本実施例では、初期電流値が１０００であるとする。初期電流値は、メーカー等によって予め定められた駆動電流値である。
なお、Ｓ１５０の処理が行われずに、直前に使用された駆動電流値が引き続き使用されてもよい。
【００３０】
次に、バックライト制御部１２１が、複数の光源ユニット１１３の中から、処理対象の光源ユニット１１３（処理対象光源ユニット）を選択する（Ｓ１５１）。本実施例では、図２の光源ユニット０〜５のうちの１つが、処理対象光源ユニットとして選択される。
【００３１】
そして、バックライト制御部１２１が、Ｓ１５１で選択された処理対象光源ユニットの点灯時における光センサ値（点灯時光センサ値）の取得を、光センサ値取得部１２３に指示する（Ｓ１５２）。光センサ値取得部１２３は、上記指示に応じて、処理対象光源ユニットに対応する光センサ１１２から処理対象光源ユニットの点灯時光センサ値を取得し、取得した点灯時光センサ値をバックライト制御部１２１に出力する。本実施例では、光センサ１１２は、光センサ値として出力電圧を出力し、光センサ値取得部１２３は、出力電圧（アナログ値である光センサ値）をデジタル値に変換し、変換後の光センサ値を出力する。本実施例では、０〜１０００の整数値に出力電圧が変換されるものとする。そのため、本実施例では、検出可能範囲は０〜１０００の範囲である。
【００３２】
次に、バックライト制御部１２１が、Ｓ１５２で得られた点灯時光センサ値が異常値であるか否かを判定する（Ｓ１５３）。具体的には、Ｓ１５２で得られた点灯時光センサ値が想定範囲の外側の値であるか否かが判定される。Ｓ１５２で得られた点灯時光センサ値が想定範囲の外側の値である場合には、“光センサ値が異常値である”と判定され、Ｓ１５７に処理が進められる。そして、Ｓ１５２で得られた点灯時光センサ値が想定範囲の外側の値でない場合には、“光センサ値が異常値でない”と判定され、Ｓ１５４に処理が進められる。
【００３３】
Ｓ１５３で“光センサ値が異常値でない”と判定された場合について説明する。
【００３４】
まず、バックライト制御部１２１が、Ｓ１５１で選択された処理対象光源ユニットの消灯時における光センサ値（消灯時光センサ値）の取得を、光センサ値取得部１２３に指示する（Ｓ１５４）。光センサ値取得部１２３は、上記指示に応じて、処理対象光源ユニットに対応する光センサ１１２から処理対象光源ユニットの消灯時光センサ値を取得し、取得した消灯時光センサ値をバックライト制御部１２１に出力する。
【００３５】
次に、バックライト制御部１２１が、処理対象光源ユニットの駆動電流値を補正する補
正値を決定する（Ｓ１５５）。本実施例では、補正値として、駆動電流値に乗算する係数が算出される。
なお、補正値は、駆動電流値に乗算する係数に限らない。例えば、補正値として、駆動電流値に加算する加算値が決定されてもよい。
【００３６】
Ｓ１５５の処理について具体的に説明する。
まず、以下の式１を用いて、対象光源ユニットから発せられた光の輝度をよく表す光センサ値（バックライト光センサ値）が算出される。
バックライト光センサ値＝点灯時光センサ値−消灯時光センサ値  ・・・（式１）
次に、以下の式２を用いて、補正値が算出される。
補正値＝目標センサ値／バックライト光センサ値  ・・・（式２）
【００３７】
ここで、光センサＡ〜Ｆの目標センサ値として、図７に示す値が設定されていたとする。そして、処理対象光源ユニットが光源ユニット０であり、Ｓ１５２で得られた点灯時光センサ値が４５０であり、Ｓ１５４で得られた消灯時光センサ値が５０であったとする。その場合、バックライト光センサ値として４００（＝４５０−５０）が得られ、補正値として１．２５（＝５００／４００）が得られる。
【００３８】
Ｓ１５５の次に、バックライト制御部１２１が、処理対象光源ユニットの駆動電流値をＳ１５４で決定された補正値を用いて補正し、補正後の駆動電流値をバックライト駆動部１２２に通知する（Ｓ１５６）。それにより、処理対象光源ユニットが補正後の駆動電流値で駆動され、バックライト光センサ値が目標センサ値に近づくように処理対象光源ユニットの発光輝度が補正される。本実施例では、以下の式３を用いて、補正後の駆動電流値が算出される。
補正後の駆動電流値＝補正前の駆動電流値×補正値  ・・・（式３）
ここで、補正前の駆動電流値が１０００であり、補正値が１．２５であったとする。その場合、補正後の駆動電流値として、１２５０（＝１０００×１．２５）が得られる。
その後、Ｓ１５１に処理が戻される。
【００３９】
Ｓ１５３で“光センサ値が異常値である”と判定された場合について説明する。
【００４０】
まず、バックライト制御部１２１が、異常要因判定処理の実行を異常要因判定部１２５に指示し、異常要因判定部１２５が、上記指示に応じて異常要因判定処理を行う（Ｓ１５７）。Ｓ１５７では、異常要因判定処理として、Ｓ１５２で得られた点灯時光センサ値が異常値であることの要因（異常要因）が外光にあるかハードウェアの故障にあるかを判定する処理が行われる。異常要因判定処理の詳細については後述する。異常要因判定部１２５は、異常要因判定処理の結果をバックライト制御部１２１に通知する。
【００４１】
次に、バックライト制御部１２１が、Ｓ１５７の異常要因判定処理で“異常要因が外光にある”と判定されたか否かを判定する（Ｓ１５８）。Ｓ１５７の異常要因判定処理で“異常要因が外光にある”と判定された場合には、Ｓ１５９に処理が進められる。Ｓ１５７の異常要因判定処理で“異常要因がハードウェアの故障にある”と判定された場合には、発光輝度補正処理（図５のフローチャートの処理）が中断される。
発光輝度補正処理が中断（停止）された場合には、例えば、直前に設定された駆動電流値で各光源ユニット１１３が駆動される。それにより、正常な光センサ値に基づいて決定された駆動電流値で各光源ユニット１１３を駆動することができる。その結果、光源装置１００から発せられた光の輝度の変化、光源装置１００から発せられた光の輝度ムラの発生や増加、を抑制することができる。発光輝度補正処理が中断（停止）された場合に、各光源ユニット１１３が所定の駆動電流値で駆動されたり、ハードウェアの故障の存在がユーザに通知されたりしてもよい。ハードウェアの故障の存在は、例えば、画像表示、音声
出力、等によってユーザに通知される。
【００４２】
異常要因判定処理では、処理対象光源ユニットの点灯時光センサ値として正常値が得られるように、処理対象光源ユニットに対応する光センサ１１２の検出感度を変更する処理も行われる。
本実施例では、光センサ１１２は、当該光センサ１１２に設定されているゲイン値に応じた検出感度で、光の輝度を検出する。そして、光センサ１１２に設定されているゲイン値を変更することにより、当該光センサ１１２の検出感度が変更される。
本実施例では、図８に示すように、検出感度とゲイン値の対応関係が予め定められており、ゲイン値１〜４のいずれかを選択して設定することができる。ゲイン値１が設定されている場合、光センサ１１２は１倍の検出感度で輝度を検出し、ゲイン値２が設定されている場合、光センサ１１２は１／２倍の検出感度で輝度を検出する。そして、ゲイン値３が設定されている場合、光センサ１１２は１／４倍の検出感度で輝度を検出し、ゲイン値４が設定されている場合、光センサ１１２は１／８倍の検出感度で輝度を検出する。１倍の検出感度で光センサ値として５００が得られているときに、検出感度が１倍から１／２倍に変更されると、光センサ値は５００から２５０（＝５００／２）に変化する。同様に、検出感度が１倍から１／４倍に変更されると、光センサ値は５００から１２５（＝５００／４）に変化し、検出感度が１倍から１／８倍に変更されると、光センサ値は５００から６３（＝５００／８）に変化する。
このように、検出感度を変更することにより、光センサ値が変化する。そのため、検出感度を変更した場合には、変更後の検出感度に応じて目標センサ値を補正する必要がある。
【００４３】
そこで、Ｓ１５９では、バックライト制御部１２１が、処理対象光源ユニットに対応する光センサ１１２に設定されているゲイン値に基づいて、当該光センサ１１２の目標センサ値を補正する（第２補正処理）。その後、Ｓ１５２に処理が戻される。Ｓ１５９の処理が行われた後にＳ１５５の処理が行われる場合には、Ｓ１５５の処理において、Ｓ１５９で得られた補正後の目標センサ値が使用される。
【００４４】
本実施例では、ゲイン値１（１倍の検出感度）に対応する目標センサ値である基準センサ値が、記憶部１２４に予め記録されているものとする。バックライト制御部１２１は、処理対象光源ユニットに対応する光センサ１１２の基準センサ値を記憶部１２４から取得する。そして、バックライト制御部１２１は、取得した基準センサ値を、処理対象光源ユニットに対応する光センサ１１２に設定されているゲイン値（検出感度）に基づいて補正する。本実施例では、以下の式４を用いて、補正後の目標センサ値が算出される。
補正後の目標センサ値＝基準センサ値×検出感度  ・・・（式４）
ここで、基準センサ値が５００であり、設定されているゲイン値が２（１／２倍の検出感度に対応するゲイン値）であったとする。その場合、補正後の目標センサ値として、２５０（＝５００／２）が得られる。
光センサＡ〜Ｆの基準センサ値が図７に示す目標センサ値であった場合、光センサＡ〜Ｆのそれぞれについて、ゲイン値と目標センサ値との対応関係は、図９に示す関係となる。
【００４５】
本実施例では、発光輝度補正処理が中断されるまで、Ｓ１５１で処理対象光源ユニットを切り替えながら、Ｓ１５１〜Ｓ１６０の処理が繰り返し実行される。また、本実施例では、全ての光源ユニット１１３が１つずつ順番に処理対象光源ユニットとして選択されるように、処理対象光源ユニットの選択が行われる。それにより、光源装置１００から発せられる光の輝度の変化を抑制したり、光源装置１００から発せられる光の輝度ムラの発生や増加を抑制したりすることができる。
【００４６】
図６を用いて、異常要因判定処理（図５のＳ１５７の処理）の流れについて説明する。図６は、異常要因判定処理の流れの一例を示すフローチャートである。
【００４７】
まず、異常要因判定部１２５が、図５のＳ１５２で得られた点灯時光センサ値が想定範囲の下限値よりも低いか否かを判定する（Ｓ１７０）。“センサ値が想定範囲の下限値よりも低い”と判定された場合には、Ｓ１７１に処理が進められ、“センサ値が想定範囲の上限値よりも高い”と判定された場合には、Ｓ１７２に処理が進められる。
【００４８】
Ｓ１７１では、異常要因判定部１２５が、“異常要因がハードウェアの故障にある”と判定し、判定結果をバックライト制御部１２１に通知する。
【００４９】
Ｓ１７２では、異常要因判定部１２５が、処理対象光源ユニットに対応する光センサ１１２の検出感度が下限値であるか否かを判定する。即ち、処理対象光源ユニットに対応する光センサ１１２の検出感度を下げることが可能であるか否かが判定される。“検出感度が下限値である”と判定された場合には、Ｓ１７１に処理が進められ、“検出感度が下限値でない”と判定された場合には、Ｓ１７３に処理が進められる。
本実施例では、図８に示すように、ゲイン値として１〜４の値のいずれかを設定することができるものとする。Ｓ１７２では、処理対象光源ユニットに対応する光センサ１１２に設定されているゲイン値が１〜３である場合に、“検出感度が下限値でない”と判定され、Ｓ１７３に処理が進められる。そして、処理対象光源ユニットに対応する光センサ１１２に設定されているゲイン値が４である場合に、“検出感度が下限値である”と判定され、Ｓ１７１に処理が進められる。
【００５０】
Ｓ１７３では、異常要因判定部１２５が、処理対象光源ユニットに対応する光センサ１１２の検出感度の低減を、バックライト制御部１２１に指示する。バックライト制御部１２１は、上記指示に応じて、処理対象光源ユニットに対応する光センサ１１２に設定されているゲイン値に１を加算する加算処理を行い、加算処理後のゲイン値を光センサ制御部１２６に通知する。光センサ制御部１２６は、処理対象光源ユニットに対応する光センサ１１２に設定されているゲイン値を、バックライト制御部１２１から通知されたゲイン値に変更する。それにより、処理対象光源ユニットに対応する光センサ１１２に設定されているゲイン値が１だけ高められ、処理対象光源ユニットに対応する光センサ１１２の検出感度が低減される。例えば、処理対象光源ユニットに対応する光センサ１１２に設定されているゲイン値が１であった場合、処理対象光源ユニットに対応する光センサ１１２に設定されているゲイン値が１から２に高められる。それにより、処理対象光源ユニットに対応する光センサ１１２の検出感度が１倍から１／２倍に低減される。
その後、Ｓ１７４に処理が進められる。
【００５１】
Ｓ１７４では、異常要因判定部１２５が、バックライト制御部１２１を介して光センサ値取得部１２３に、処理対象光源ユニットの点灯時光センサ値の取得を指示する。光センサ値取得部１２３は、上記指示に応じて、処理対象光源ユニットに対応する光センサ１１２から処理対象光源ユニットの点灯時光センサ値を取得する。そして、光センサ値取得部１２３は、取得した点灯時光センサ値を、バックライト制御部１２１介して異常要因判定部１２５に出力する。
その後、Ｓ１７５に処理が進められる。
【００５２】
Ｓ１７５では、異常要因判定部１２５が、Ｓ１７５で取得された点灯時光センサ値が想定範囲の上限値よりも高いか否かを判定する。“センサ値が想定範囲の上限値よりも高い”と判定された場合には、Ｓ１７２に処理が戻され、“センサ値が想定範囲の上限値よりも低い”と判定された場合には、Ｓ１７６に処理が進められる。
そのため、本実施例では、処理対象光源ユニットの点灯時光センサ値が想定範囲の上限
値よりも高い場合に、処理対象光源ユニットに対応する光センサ１１２の検出感度が徐々に低減される。具体的には、処理対象光源ユニットの点灯時光センサ値として想定範囲の内側の値（上限値と下限値を含む）が得られるまで、処理対象光源ユニットに対応する光センサ１１２の検出感度が徐々に低減される。
【００５３】
Ｓ１７６では、異常要因判定部１２５が、“異常要因が外光にある”と判定し、判定結果をバックライト制御部１２１に通知する。
【００５４】
異常要因判定処理の具体例について、図１０，１１を用いて説明する。図１０，１１は、処理対象光源ユニットの点灯時光センサ値の一例を示す図である。ここでは、処理対象光源ユニットに対応する光センサ１１２に対してゲイン値１が設定されていたとする。
【００５５】
図１０の例では、最初に、点灯時光センサ値として、想定範囲の上限値よりも大きい１０００が取得される。そのため、ゲイン値が１から２に高められる。図１０の例では、ゲイン値が２に高められたことにより、点灯時光センサ値が低下している。しかしながら、ゲイン値が２に高められても、点灯時光センサ値は想定範囲の上限値よりも大きいため、ゲイン値が２から３に高められる。そして、図１０の例では、ゲイン値が３に高められたことにより、点灯時光センサ値が想定範囲の内側の値まで低下する。その結果、“異常要因が外光にある”と判定される。
【００５６】
図１１の例では、最初に、点灯時光センサ値として、想定範囲の上限値よりも大きい１０００が取得される。そのため、ゲイン値が１から２に高められる。図１１の例では、ゲイン値が２に高められても、点灯時光センサ値が低下していていない。そのため、ゲイン値が２から３に高められる。図１１の例では、ゲイン値が３に高められても、点灯時光センサ値が低下していていない。そのため、ゲイン値が３から４に高められる。図１１の例では、ゲイン値が４に高められても、点灯時光センサ値が低下していていない。その結果、“異常要因がハードウェアの故障にある”と判定される。
【００５７】
以上述べたように、本実施例によれば、光センサ値に基づいて、光源ユニットの発光輝度が制御される。それにより、光源装置から発せられた光の輝度の変化を、光源ユニットの駆動時間等に基づいて光源ユニットの発光輝度を制御する場合に比べて高精度に抑制することができる。また、本実施例によれば、光センサ値が想定範囲の外側の値である場合に、光センサの検出感度が変更される。それにより、光センサ値として異常値が取得されることを抑制することができ、光源装置から発せられた光の輝度の変化をより高精度に抑制することができる。
【００５８】
なお、本実施例では、補正値がバックライト光センサ値の逆数に比例する例を説明したが、補正値とバックライト光センサ値との対応関係はこれに限らない。そして、本実施例では、関数を用いて補正値を算出する例を説明したが、補正値の決定方法はこれに限らない。例えば、バックライト光センサ値が入力され、且つ、補正値を出力するテーブルを用いて、補正値が取得されてもよい。“バックライト光センサ値が入力され、且つ、補正値を出力するテーブル”は、“バックライト光センサ値と補正値との対応関係を表すテーブル”と言うこともできる。点灯時光センサ値と消灯時光センサ値が入力され、且つ、補正値を出力するテーブルを用いて、補正値が取得されてもよい。
【００５９】
また、本実施例では、補正後の駆動電流値が補正値に比例する例を説明したが、補正後の駆動電流値と補正値との対応関係はこれに限らない。そして、本実施例では、関数を用いて補正後の駆動電流値を算出する例を説明したが、補正後の駆動電流値の決定方法はこれに限らない。例えば、補正前の駆動電流値と補正値とが入力され、且つ、補正後の駆動電流値を出力するテーブルを用いて、補正後の駆動電流値が取得されてもよい。
【００６０】
また、本実施例では、補正後の目標センサ値が検出感度に比例する例を説明したが、補正後の目標センサ値と検出感度との対応関係はこれに限らない。そして、本実施例では、関数を用いて補正後の目標センサ値を算出する例を説明したが、補正後の目標センサ値の決定方法はこれに限らない。例えば、検出感度が入力され、且つ、補正後の目標センサ値を出力するテーブルを用いて、補正後の目標センサ値が取得されてもよい。
【００６１】
なお、本実施例では、光センサ値と目標センサ値とに基づいて光源ユニットの発光輝度を制御する例を説明したが、これに限らない。光センサ値を用いる方法であれば、どのような方法で光源ユニットの発光輝度が制御されてもよい。
【００６２】
なお、本実施例では、光センサ値が想定範囲の上限値よりも高く、且つ、光センサの検出感度が下限値である場合に、光センサ値に基づく光源ユニットの発光輝度の制御を停止する例を説明したが、これに限らない。そのような処理を行わなくても、他の場合に、光センサ値として異常値が取得されることを抑制することができる。
【００６３】
なお、本実施例では、光センサ値が想定範囲の下限値よりも低い場合に、光センサ値に基づく光源ユニットの発光輝度の制御を停止する例を説明したが、これに限らない。例えば、光センサ値が想定範囲の下限値よりも低い場合に、光センサの検出感度を高めて、光センサ値に基づく光源ユニットの発光輝度の制御を継続して実行してもよい。それにより、光センサ値が想定範囲の下限値よりも低い場合にも、光センサ値として異常値が取得されることを抑制することができる。
【００６４】
なお、本実施例では、光センサ値が想定範囲の上限値よりも高い場合に、光センサの検出感度を下げる例を説明した。具体的には、光センサ値が想定範囲の上限値よりも高い場合に、想定範囲の内側の光センサ値が得られるまで、光センサの検出感度を徐々に下げる例を説明した。しかし、検出感度の変更方法は特に限定されない。例えば、光センサ値が想定範囲の外側の値である場合に、光センサの検出感度がランダムに変更されてもよい。そして、想定範囲の内側の光センサ値が得られるまで、検出感度が繰り返し変更されてもよい。ここで、検出感度を変更しても想定範囲の内側の光センサ値が得られないこともあるため、検出感度を変更する回数に上限値を設けることが好ましい。
【００６５】
但し、光センサ値が想定範囲の上限値よりも高い場合に光センサの検出感度を下げれば、想定範囲の内側の光センサ値をより早く得ることが期待できる。そのため、光センサ値が想定範囲の上限値よりも高い場合に、光センサの検出感度を下げることが好ましい。光センサ値が想定範囲の上限値よりも高い場合に、光センサの検出感度が下限値まで低減されてもよい。
また、検出感度が高い場合、検出感度が低い場合に比べ高精度な光センサ値が取得できると考えられる。そのため、光センサ値が想定範囲の上限値よりも高い場合に、想定範囲の内側の光センサ値が得られるまで、光センサの検出感度を徐々に下げることが好ましい。そのような構成によれば、想定範囲の内側の光センサ値を得ることができる検出感度として、より高い値を設定することができる。それにより、高精度な光センサ値を取得することができる。
【００６６】
なお、本実施例では、光センサ値が、光センサの検出感度が同じ場合に光センサで検出された輝度が高いほど高く、且つ、光センサで検出された輝度が同じ場合に光センサの検出感度が高いほど高い値である場合の例を説明したが、これに限らない。例えば、光センサ値は、光センサの検出感度が同じ場合に光センサで検出された輝度が高いほど低い値であってもよいし、光センサで検出された輝度が同じ場合に光センサの検出感度が高いほど低い値であってもよい。光センサ値と検出輝度の対応関係と、光センサ値と検出感度の対
応関係と、が変更されれば、本実施例に係る上記処理は適宜変更される。
【００６７】
＜実施例２＞
以下、本発明の実施例２に係る画像表示装置、光源装置、及び、それらの制御方法について説明する。
【００６８】
図１２は、本実施例に係る光源装置２００の構成の一例を示すブロック図である。
なお、図１２において、実施例１（図１）と同じ機能部には実施例１と同じ符号を付し、その説明は省略する。
図１２に示すように、光源装置２００は、バックライトユニット１１０、制御ユニット２２０、及び、外光センサ２０１を有する。制御ユニット２２０は、バックライト制御部２２１、バックライト駆動部１２２、光センサ値取得部１２３、記憶部２２４、異常要因判定部２２３、光センサ制御部１２６、及び、外光センサ値取得部２２２を有する。
【００６９】
外光センサ２０１は、外光（液晶表示装置の外光）の輝度を検出し、検出した輝度に応じた外光センサ値（検出値）を出力する（第２検出処理）。外光センサ２０１は、外光センサ値として、検出した輝度に応じた電圧（出力電圧）を出力する。
図１３は、本実施例に係る液晶表示装置の外観の一例を示す図である。図１３に示すように、外光センサ２０１は、液晶表示装置の画面の近くに設けられている。
【００７０】
外光センサ値取得部２２２は、外光センサ２０１から外光センサ値を取得し、外光センサ値をバックライト制御部２２１に出力する。
【００７１】
記憶部２２４は、各光センサ１１２の目標センサ値、想定範囲、及び、外光センサ値と検出感度（ゲイン値）の対応関係を記憶する。具体的には、記憶部２２４には、外光センサの検出感度が１倍である場合の目標センサ値が予め記録されている。また、記憶部２２４には、外光が光センサ１１２に照射されておらず、且つ、外光センサの検出感度が１倍である場合の想定範囲が予め記録されている。また、記憶部２２４には、外光センサ値と検出感度の対応関係が、予め記録されている。
なお、外光センサ値と検出感度の対応関係として、複数の光センサ１１２に対応する複数の対応関係が予め用意されていてもよい。
【００７２】
バックライト制御部２２１は、実施例１のバックライト制御部１２１と同様の機能を有する。但し、バックライト制御部２２１は、光センサ１１２の検出感度を変更する際に、外光センサ値取得部２２２から取得された外光センサ値に応じた値を、変更後の検出感度として決定する。
【００７３】
異常要因判定部２２３は、“光センサ値が異常値である”と判定された光センサ１１２について、光センサ値が異常値であることの要因（異常要因）を判定する。但し、本実施例では、外光センサ値を用いて、実施例１とは異なる異常要因判定処理が行われる。異常要因判定処理の詳細については後述する。
【００７４】
図１４を用いて、本実施例に係る異常要因判定処理の流れについて説明する。図１４は、本実施例に係る異常要因判定処理の流れの一例を示すフローチャートである。
なお、本実施例に係る発光輝度補正処理の流れは実施例１（図５）と同じであるため、その説明は省略する。但し、本実施例では、異常要因判定処理において、基準範囲が補正される。そして、基準要因判定処理が行われた後に図５のＳ１５３の処理が行われル場合には、補正後の基準範囲が使用される。
なお、以下では、光センサ１１２が、光センサ１１２の検出感度が同じ場合に光センサ１１２で検出された輝度が高いほど高く、且つ、光センサ１１２で検出された輝度が同じ
場合に光センサ１１２の検出感度が高いほど高い光センサ値を出力するものとする。但し、光センサ値は、これに限らない。
【００７５】
まず、異常要因判定部２２３が、バックライト制御部２２１を介して外光センサ値取得部２２２に、外光センサ値の取得を指示する（Ｓ２５０）。外光センサ値取得部２２２は、上記指示に応じて、外光センサ２０１から外光センサ値を取得する。そして、外光センサ値取得部２２２は、取得した外光センサ値を、バックライト制御部２２１を介して異常要因判定部２２３に出力する。本実施例では、外光センサ２０１は、外光センサ値として出力電圧を出力し、外光センサ値取得部２２２は、出力電圧（アナログ値である外光センサ値）をデジタル値に変換し、変換後の外光センサ値を出力する。本実施例では、０〜７０００の整数値に出力電圧が変換されるものとする。また、本実施例では、説明を簡単にするために、ゲイン値１のときに得られる光センサ値が外光によって変化する変化量が、外光センサ値として取得されるものとする。具体的には、ゲイン値１のときに得られる光センサ値が外光によって１００だけ変化する場合には、外光センサ値として１００が取得されるものとする。
【００７６】
次に、異常要因判定部２２３が、Ｓ２５０で取得された外光センサ値に基づいて、処理対象光源ユニットに対応する光センサ１１２の検出感度と想定範囲を決定する（Ｓ２５１）。具体的には、Ｓ２５０で取得された外光センサ値に応じた値を、処理対象光源ユニットに対応する光センサ１１２の検出感度として決定する。そして、Ｓ２５０で取得された外光センサ値と、決定した検出感度と、に基づいて、記憶部２２４に記録されている想定範囲（基準範囲）を補正することにより、処理対象光源ユニットに対応する光センサ１１２の想定範囲が決定される（第１補正処理）。基準範囲は、上述したように、外光センサの検出感度が１倍である場合の想定範囲である。
【００７７】
本実施例では、外光センサ値と検出感度（ゲイン値）の対応関係として、図１５に示すテーブルが予め記録されている。
Ｓ２５１では、Ｓ２５０で取得された外光センサ値に対応するゲイン値が、処理対象光源ユニットに対応する光センサ１１２に設定すべきゲイン値として、図１５のテーブルから取得される。Ｓ２５０で取得された外光センサ値が１５００であった場合には、ゲイン値３が取得される。図１５のテーブルを使用した場合には、外光センサ２０１で検出された輝度が高い場合に、外光センサ２０１で検出された輝度が低い場合に比べて低い値が、光センサ１１２の検出感度として決定される。
なお、本実施例では、外光センサ値と検出感度（ゲイン値）の対応関係を表すテーブルを使用する例を説明したが、これに限らない。例えば、外光センサ値と検出感度の対応関係を表す関数を用いて、処理対象光源ユニットに対応する光センサ１１２の検出感度が決定されてもよい。
【００７８】
そして、Ｓ２５１では、以下の式５−１，５−２を用いて、処理対象光源ユニットに対応する光センサ１１２の想定範囲の上限値と下限値が決定される。
想定範囲の下限値＝（基準範囲の下限値＋外光センサ値）×検出感度
・・・（式５−１）
想定範囲の上限値＝（基準範囲の上限値＋外光センサ値）×検出感度
・・・（式５−２）
ここで、基準範囲が２５０〜７５０の範囲であり、外光センサ値が１５００である場合、ゲイン値１（１倍の検出感度）のときに、１７５０（＝２５０＋１５００）〜２２５０（＝７５０＋１５００）の範囲の光センサ値が取得されると考えられる。そのため、ゲイン値３（１／４倍の検出感度）のときには、４３８（＝１７５０／４）〜５６８（＝２２５０／４）の範囲の光センサ値が取得されると考えられる。式５−１，５−２を用いれば、想定範囲の下限値として４３８（＝（２５０＋１５００）／４）を得ることができ、想
定範囲の上限値として５６８（＝（７５０＋１５００）／４）を得ることができる。このように、本実施例によれば、外光の輝度に対して適切な範囲を想定範囲として決定することができる。
図１６に、基準範囲が２５０〜７５０の範囲である場合の外光センサ値と想定範囲の対応関係の一例を示す。
【００７９】
そして、異常要因判定部２２３が、処理対象光源ユニットに対応する光センサ１１２の検出感度の変更を、バックライト制御部２２１に指示する（Ｓ２５２）。具体的には、異常要因判定部２２３が、Ｓ２５１で決定されたゲイン値を、バックライト制御部２２１に通知する。バックライト制御部２２１は、処理対象光源ユニットに対応する光センサ１１２に設定されているゲイン値を、異常要因判定部２２３から通知されたゲイン値に変更する。そして、バックライト制御部２２１は、変更後のゲイン値を光センサ制御部１２６に通知する。光センサ制御部１２６は、処理対象光源ユニットに対応する光センサ１１２に設定されているゲイン値を、バックライト制御部２２１から通知されたゲイン値に変更する。それにより、処理対象光源ユニットに対応する光センサ１１２に設定されているゲイン値が、外光センサ値に応じたゲイン値に変更される。
【００８０】
なお、Ｓ２５０〜Ｓ２５２の処理は、異常要因判定処理よりも前に行われてもよい。例えば、発光輝度補正処理（図５のフローチャートの処理）の開始タイミングから、図５のＳ１５２の処理の開始タイミングまで、の間に、Ｓ２５０〜Ｓ２５２の処理が行われてもよい。
【００８１】
次に、異常要因判定部２２３が、バックライト制御部２２１を介して光センサ値取得部１２３に、処理対象光源ユニットの点灯時光センサ値の取得を指示する（Ｓ２５３）。光センサ値取得部１２３は、上記指示に応じて、処理対象光源ユニットに対応する光センサ１１２から処理対象光源ユニットの点灯時光センサ値を取得する。そして、光センサ値取得部１２３は、取得した点灯時光センサ値を、バックライト制御部２２１介して異常要因判定部２２３に出力する。
【００８２】
そして、異常要因判定部２２３が、Ｓ２５２で取得された点灯時光センサ値がＳ２５１で決定された想定範囲の下限値よりも低いか否かを判定する。“センサ値が想定範囲の下限値よりも低い”と判定された場合には、Ｓ２５５に処理が進められ、“センサ値が想定範囲の下限値よりも高い”と判定された場合には、Ｓ２５６に処理が進められる。
Ｓ２５６では、異常要因判定部２２３が、Ｓ２５２で取得された点灯時光センサ値がＳ２５１で決定された想定範囲の上限値よりも高いか否かを判定する。“センサ値が想定範囲の上限値よりも高い”と判定された場合には、Ｓ２５５に処理が進められ、“センサ値が想定範囲の上限値よりも低い”と判定された場合には、Ｓ２５７に処理が進められる。
【００８３】
Ｓ２５５では、異常要因判定部２２３が、“異常要因がハードウェアの故障にある”と判定し、判定結果をバックライト制御部２２１に通知する。
Ｓ２５７では、異常要因判定部２２３が、“異常要因が外光にある”と判定し、判定結果をバックライト制御部２２１に通知する。
【００８４】
以上述べたように、本実施例によれば、実施例１と同様に、光センサ値に基づいて光源ユニットの発光輝度が制御され、光センサ値が想定範囲の外側の値である場合に、光センサの検出感度が変更される。それにより、実施例１と同様の効果を得ることができる。また、本実施例によれは、外光の輝度（外光センサ値）を考慮して、異常要因が判定される。それにより、実施例１に比べ高精度に異常要因を判定することができる。
【００８５】
なお、本実施例によれば、光センサの検出感度が変更された後の光センサ値が想定範囲
（補正後の想定範囲）の外側の値である場合に、光センサ値に基づく光源ユニットの発光輝度の制御が停止されることとなるが、これに限らない。例えば、光センサの検出感度が変更された後の光センサ値が想定範囲の外側の値である場合に、光センサ値に基づく光源ユニットの発光輝度の制御を継続して実行してもよい。そのような構成であっても、光センサの検出感度が変更された後の光センサ値が想定範囲の内側の値である場合に、光源ユニットの発光輝度を好適に制御することができる。
【００８６】
なお、本実施例では、外光センサ値に基づいて想定範囲（基準範囲）を補正する例を説明したが、そのような補正は行われなくてもよい。例えば、全ての検出感度に対応する１つの想定範囲が常に利用されてもよい。但し、外光センサ値に基づいて想定範囲（基準範囲）を補正すれば、より適切な想定範囲を設定することができる。
【００８７】
＜その他の実施例＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８８】
１００，２００：光源装置  １１０：バックライトユニット  １１２：光センサ
１１３：光源ユニット  １２０，２２０：制御ユニット
１２１，２２１：バックライト制御部  １２２：バックライト駆動部
１２３：光センサ値取得部  １２４，２２４：記憶部
１２５，２２３：異常要因判定部  １２６：光センサ制御部  ２０１：外光センサ
２２２：外光センサ値取得部
【図１】
2016080753.tif 000003
【図２】
2016080753.tif 000004
【図３】
2016080753.tif 000005
【図４】
2016080753.tif 000006
【図５】
2016080753.tif 000007
【図６】
2016080753.tif 000008
【図７】
2016080753.tif 000009
【図８】
2016080753.tif 000010
【図９】
2016080753.tif 000011
【図１０】
2016080753.tif 000012
【図１１】
2016080753.tif 000013
【図１２】
2016080753.tif 000014
【図１３】
2016080753.tif 000015
【図１４】
2016080753.tif 000016
【図１５】
2016080753.tif 000017
【図１６】
2016080753.tif 000018